(57)【要約】      （修正有）【課題】簡略化された設計を有しかつ占める構築空間の小さい、接触器またはリレーなどの電気的切り替え要素用のコンタクトブリッジ構成を提供する。【解決手段】コンタクトブリッジ３と、コンタクトブリッジ３が作動方向Ｂに沿って移動可能な様式で保持される作動部材５と、作動部材上のばね基部とコンタクトブリッジ３との間に挿入される少なくとも１つのばね要素７と、少なくとも１つのばね要素７によってコンタクトブリッジ３が押し付けられる少なくとも１つの停止部９とを有する、接触器またはリレーなどの電気的切り替え要素用のコンタクトブリッジ構成１。全体サイズがより小さく、安定しており、組立が時間を要さず容易であるコンタクトブリッジ構成を提供するために、少なくとも１つの停止部９およびばね基部が、コンタクトブリッジ３と反対の方向を向いた少なくとも１つのばね要素７の側面８３上に位置付けられる。【選択図】図１
2017022101.tif 000002
【特許請求の範囲】
【請求項１】
接触器またはリレーなどの電気的切り替え要素用のコンタクトブリッジ構成（１）であって、
コンタクトブリッジ（３）と、前記コンタクトブリッジ（３）が作動方向（Ｂ）に沿って移動可能な様式で保持される作動部材（５）と、前記作動部材上のばね基部（５３）と前記コンタクトブリッジ（３）との間に挿入される少なくとも１つのばね要素（７）と、前記少なくとも１つのばね要素（７）によって前記コンタクトブリッジ（３）が押し付けられる少なくとも１つの停止部（９）とを有するコンタクトブリッジ構成（１）において、
前記少なくとも１つの停止部（９）および前記ばね基部（５３）が、前記コンタクトブリッジ（３）と反対の方向を向いた前記少なくとも１つのばね要素（７）の側面（８３）上に位置付けられることを特徴とする、コンタクトブリッジ構成（１）。
【請求項２】
前記少なくとも１つの停止部（９）および前記ばね基部（５３）が、一体の構造を形成することを特徴とする、
請求項１に記載のコンタクトブリッジ構成（１）。
【請求項３】
前記ばね基部（５３）および前記少なくとも１つの停止部（９）が、前記作動部材（５）上のフランジ形状の部分（５５）の一部であることを特徴とする、
請求項１または２に記載のコンタクトブリッジ構成（１）。
【請求項４】
前記コンタクトブリッジ（３）が、前記少なくとも１つのばね要素（７）を包囲することを特徴とする、
請求項１から３のいずれか一項に記載のコンタクトブリッジ構成（１）。
【請求項５】
前記コンタクトブリッジ（３）が、前記少なくとも１つのばね要素（７）が受容される空間（Ｖ）を少なくとも部分的に包囲することを特徴とする、
請求項１から４のいずれか一項に記載のコンタクトブリッジ構成（１）。
【請求項６】
前記少なくとも１つの停止部（９）が、前記コンタクトブリッジ（３）の少なくとも１つの開口（３５）を貫通することを特徴とする、
請求項１から５のいずれか一項に記載のコンタクトブリッジ構成（１）。
【請求項７】
前記少なくとも１つの停止部（９）が、少なくとも前記作動方向（Ｂ）に沿って、前記少なくとも１つの開口（３５）内で移動可能な様式で案内されることを特徴とする、
請求項６に記載のコンタクトブリッジ構成（１）。
【請求項８】
前記少なくとも１つの停止部（９）が、前記作動方向（Ｂ）を横断する方向に延びる前記少なくとも１つの開口（３５）の壁部分（３７）に押し付けられることを特徴とする、
請求項６または７に記載のコンタクトブリッジ構成（１）。
【請求項９】
前記壁部分（３７）が、前記壁部分（３７）に隣接しかつ前記作動方向（Ｂ）と平行に延びる前記少なくとも１つの開口（３５）の２つの側壁部分（４１）とともに、前記少なくとも１つの停止部（９）のための座部（４３）を形成することを特徴とする、
請求項８に記載のコンタクトブリッジ構成（１）。
【請求項１０】
前記少なくとも１つの開口（３５）が、前記作動方向（Ｂ）を実質的に横断する方向に延びかつ前記座部（４３）から離れる方向に延在する、前記少なくとも１つの停止部（９）を前記座部（４３）内へと挿入するための装着スロット（４５）を有することを特徴とする、
請求項９に記載のコンタクトブリッジ構成（１）。
【請求項１１】
前記少なくとも１つの開口（３５）および前記少なくとも１つの停止部（９）が、バヨネット接続部を構成することを特徴とする、
請求項１０に記載のコンタクトブリッジ構成（１）。
【請求項１２】
前記コンタクトブリッジ（３）が、前記作動方向（Ｂ）と反対方向に延在しかつ前記少なくとも１つの開口（３５）を有する、少なくとも１つの脚部（２１）を有することを特徴とする、
請求項１から１１のいずれか一項に記載のコンタクトブリッジ構成（１）。
【請求項１３】
前記少なくとも１つの脚部（２１）が、前記コンタクトブリッジ（３）と一体に形成されることを特徴とする、
請求項１２に記載のコンタクトブリッジ構成（１）。
【請求項１４】
前記コンタクトブリッジ（３）が、前記作動方向（Ｂ）を横断する方向に互いに対向して配設される２つの脚部（２１）を有すること、
前記少なくとも１つの停止部（９）が、前記作動方向（Ｂ）を横断する方向において見たときに、前記脚部（２１）の領域における前記コンタクトブリッジ（３）の外側幅（６７）と少なくとも同じ大きさである長さ（６３）を有すること、および
前記少なくとも１つの停止部（９）が、前記作動方向（Ｂ）を横断する方向において見たときに、前記脚部（２１）の内側間隔（６９）よりも小さい幅（６５）を有することを特徴とする、
請求項１２または１３に記載のコンタクトブリッジ構成（１）。
【請求項１５】
前記少なくとも１つのばね要素（７）が、板ばね（７１）であることを特徴とする、請求項１から１４のいずれか一項に記載のコンタクトブリッジ構成（１）。
【発明の詳細な説明】
【技術分野】
【０００１】
本発明は、コンタクトブリッジと、コンタクトブリッジが作動方向に沿って移動可能な様式で保持される作動部材と、作動部材上のばね基部とコンタクトブリッジとの間に挿入される少なくとも１つのばね要素と、少なくとも１つのばね要素によってコンタクトブリッジが押し付けられる少なくとも１つの停止部とを有する、接触器またはリレーなどの電気的切り替え要素用のコンタクトブリッジ構成に関する。
【背景技術】
【０００２】
上述の種類のコンタクトブリッジ構成は、先行技術において知られている。たとえば、独国特許出願公開第１０２０１２２０１９６７（Ａ１）号は、知られている種類のコンタクトブリッジ構成を示している。知られているデバイスにおいて、コンタクトブリッジは一般に、作動部材上の２つの停止部の間に、移動可能な様式で設けられる。この場合、コンタクトブリッジは、第１の停止部上に支持されるばねによって、第２の停止部に押し付けられる。停止部は一般に、作動部材上のフランジとして設計される。コンタクトブリッジと第１の停止部との間に作動部材に沿って配置されるらせん形の加圧ばねが、ばね要素として一般に使用される。この種類のデバイスは適切であるが、いくつかの欠点を有する。１つとしては、組立が無用に複雑になる可能性がある。加えて、作動部材上を移動するとき、これには案内部材がないので、コンタクトブリッジが傾くかまたはねじれる可能性がある。他の知られている解決法は、たとえば、中でコンタクトブリッジが移動可能な様式で案内される、コンタクトブリッジかご部またはコンタクトブリッジ付属物を提供することによって、これらの問題の改善を試みる。そのような解決法も適切であるが、これらは、無用に複雑な設計、高い製造コスト、および多くの構築空間を必要とする。
【先行技術文献】
【特許文献】
【０００３】
【特許文献１】独国特許出願公開第１０２０１２２０１９６７（Ａ１）号
【発明の概要】
【発明が解決しようとする課題】
【０００４】
したがって、本発明の課題は、簡略化された設計を有しかつ占める構築空間の小さい、上述の種類のコンタクトブリッジ構成を提供することである。
【課題を解決するための手段】
【０００５】
本発明によるコンタクトブリッジ構成は、コンタクトブリッジと反対の方向を向いた少なくとも１つのばね要素の側面上に、少なくとも１つの停止部およびばね基部が位置付けられるという形で、この課題を解決する。
【０００６】
本発明による解決法は、一方で、小さい量の構築空間の実現を可能とする。他方で、組立中に、作動部材上にコンタクトブリッジが据えられた後で作動部材上に第２の停止部またはフランジを据えねばならず、その間コンタクトブリッジを所定位置に保持せねばならない状況を、不要にすることが可能である。コンタクトブリッジの上側側面上の停止部を不要にすることによって、知られている先行技術におけるように、より多くの空間を、たとえばコンタクトブリッジの上側側面上のコンタクト表面のために利用可能とすることができる。
【０００７】
コンタクトブリッジは、接触側に少なくとも２つのコンタクト表面を設けられたブリッジ本体を有し得る。このブリッジ本体を通して、作動部材のための案内開口を配設することができる。そのような案内開口を特に、２つのコンタクト表面の間のブリッジ本体上の中央に配置することができる。コンタクトブリッジまたはブリッジ本体は好ましくは、長手方向に沿って細長い様式で延在する。この場合、長手方向は、作動方向と直交して延びる。作動方向は、コンタクトブリッジが相手側コンタクトに向かって移動できる接触方向と、概ね同一である。具体的な作動部材は、全体に杆形状または軸形状であり、作動方向と平行に延在する。
【０００８】
本発明による解決法を、所望に応じて互いと組み合わせ可能な、それぞれが独立して有利である様々な構成によって、さらに改善することができる。これらの構成および関連する利点は、以降でより詳細に検討されることになる。
【０００９】
第１の有利な構成によれば、少なくとも１つの停止部およびばね基部は、一体の構造を形成し得る。結果として、特に単純な設計およびコンパクトな構造が実現可能となる。特に、少なくとも１つの停止部およびばね基部は、共通の構成要素を形成し得る。一体の構造または共通の構成要素は特に、作動部材に取り付けることができるか、またはこれと同一片として形成することができる。
【００１０】
ばね基部および少なくとも１つの停止部は、作動部材上のフランジ形状の部分、特にフランジの一部とすることができる。このようにして、ばね基部および少なくとも１つの停止部を、特に単純な設計とすることができる。たとえば、少なくとも１つの停止部を、コンタクトブリッジから離れる方向を指すフランジ形状の部分の下面によって形成することができ、ばね基部を、このフランジ形状の部分の上側側面によって形成することができる。このことは、少なくとも１つのばね要素がこの上側側面上に支持されて、コンタクトブリッジを作動方向に押すことが可能であり、一方、フランジ形状の部分の下面は、コンタクトブリッジのための停止部としての役割を果たす、ということを意味する。この結果として、作動方向におけるコンタクトブリッジの移動を、コンタクトブリッジが少なくとも１つの停止部にぶつかるとすぐに止めることができる。フランジ形状の部分、特にフランジを、作動部材と一体に形成することができる。別法として、このフランジ形状の部分を、作動部材に取り付け、これに接続することができる。
【００１１】
コンタクトブリッジがより容易に、少なくとも１つの停止部に接触するように、コンタクトブリッジは少なくとも１つのばね要素を、特に作動方向と反対方向において包囲することができる。この結果、コンタクトブリッジの一部を、作動方向と反対方向にばね要素を越えて案内することができ、コンタクトブリッジの残りの部分から見たときに、少なくとも部分的にばね要素の背後に配置することができる。特に、コンタクトブリッジは、少なくとも１つのばね要素を背後から把持することができる。コンタクトブリッジは、少なくとも１つのばね要素だけでなく、少なくとも１つの停止部も、背後から包囲または把持する。
【００１２】
コンタクトブリッジは、少なくとも１つのばね要素が受容される空間を、少なくとも部分的に包囲することができる。少なくとも１つのばね要素はしたがって、コンタクトブリッジの内側に部分的に配置される。結果として、ばね要素を保護することができる。コンタクトブリッジ構成のコンパクトな設計を、同様に実現できる。
【００１３】
さらなる有利な構成によれば、少なくとも１つの停止部は、コンタクトブリッジの少なくとも１つの開口を貫通することができる。結果として、たとえば、少なくとも１つの停止部を、およびしたがってさらに作動部材を、進路を外れないように確保することができる。コンパクトな設計が、同様に可能となる。
【００１４】
少なくとも１つの停止部を、少なくとも作動方向に沿って、少なくとも１つの開口内で移動可能な様式で案内することができる。たとえば、少なくとも１つの開口は、作動方向と平行に延びる壁部分を通して、少なくとも１つの停止部のための案内表面を形成することができる。
【００１５】
さらなる有利な構成によれば、少なくとも１つの停止部を、作動方向を横断する方向に延びる少なくとも１つの開口の壁部分に押し付けることができる。作動方向を横断する方向に延びる壁部分は、特に、少なくとも１つの停止部のための、相手側表面または相手側停止部を形成することができる。コンタクトブリッジ構成が使用されていないかまたは相手側コンタクトに接続されていない状態では、少なくとも１つの停止部は、壁部分に接触し得る。少なくとも１つの停止部の、作動方向と反対方向への壁部分を越えるさらなる移動が、結果として防止される。コンタクトブリッジを、このようにして、作動部材上に特に確実に保持することができる。作動方向において、コンタクトブリッジは、ばね基部上に支持される少なくとも１つのばね要素によって、少なくとも１つの停止部に押し付けられる。少なくとも１つの停止部が、コンタクトブリッジの少なくとも１つの開口を通って突出する場合、少なくとも１つの停止部を、開口の壁部分によって、形状嵌合（form-fitting）の様式で、進路を外れないように確保することができる。
【００１６】
作動方向を横断する方向に延びる壁部分は、壁部分に隣接しかつ作動方向と平行に延びる少なくとも１つの開口の２つの側壁部分とともに、少なくとも１つの停止部のための座部を形成することができる。コンタクトブリッジ構成が使用されていない状態にあるとき、少なくとも１つの停止部を、この座部内に配置することができ、この結果、作動部材上でのコンタクトブリッジの確実な維持が実現される。
【００１７】
本発明によるコンタクトブリッジ構成の組立を単純化するため、少なくとも１つの開口は、作動方向を実質的に横断する方向に延びかつ座部から離れる方向に延在する、少なくとも１つの停止部を座部内へと挿入するための装着スロットを有し得る。装着スロットを、開口の、作動方向において見たときに座部の反対側に設置される一方側に、特に配置することができる。
【００１８】
特に少なくとも１つの装着スロットと併せた、少なくとも１つの開口と、少なくとも１つの停止部とは、バヨネット接続部を構成できる。少なくとも１つの停止部を、たとえば、少なくとも１つの装着スロットを通して、開口を覆うように停止部が配設されるまで、作動方向を実質的に横断する方向に延びる装着方向に沿って、案内することができる。少なくとも１つの停止部は次いで、作動方向を横断する方向に延びる壁部分の方向において少なくとも１つの停止部に対して作用するばね力によって、座部内に移動される。装着方向における少なくとも１つの停止部の移動を、たとえば少なくとも１つの停止部および／または作動部材を、作動方向によって形成される軸を中心に回転させることによって実行することができる。
【００１９】
可能な限りコンパクトな設計を得るために、コンタクトブリッジは、作動方向と反対方向に延在しかつ少なくとも１つの開口を有する、少なくとも１つの脚部を有し得る。この脚部は特に、コンタクトブリッジの長手方向と平行に延びる側部表面を形成し得る。少なくとも１つの開口は、脚部を通して作動方向を横断する方向に延在し得る。特に、少なくとも１つの開口は、脚部を通って延在し、作動方向を横断する方向にかつ長手方向を横断する方向に、側部表面を形成し得る。
【００２０】
特に好ましくは、コンタクトブリッジは、作動方向を横断する方向に互いに対向して配設される、２つの脚部を有する。これらの２つの脚部を通して、コンタクトブリッジの全体にＵ字形状の断面を、その長手方向を横断する方向に形成することができる。２つの脚部は、少なくとも１つの停止部を少なくとも包囲し得る。
【００２１】
少なくとも１つの脚部、特に互いに対向する２つの脚部を、コンタクトブリッジと一体に形成することができる。特に、少なくとも１つの脚部を、コンタクトブリッジ材料を変形させることによって形成し得る。
【００２２】
コンタクトブリッジを、少なくとも１つの脚部とともに、プレス加工された屈曲部品として形成することができる。
【００２３】
さらなる有利な構成によれば、コンタクトブリッジは、作動方向を横断する方向に互いに対向して配設される、２つの脚部を有し得る。少なくとも１つの停止部は、作動方向を横断する方向において、２つの脚部の領域におけるコンタクトブリッジの外側幅と少なくとも同じ大きさである長さを有し得る。少なくとも１つの停止部はこの場合、作動方向を横断する方向において見たときに、脚部の内側間隔よりも小さい幅を有し得る。少なくとも１つの停止部はこの場合、好ましくは、細長い形態を有する作動部材のフランジ形状の部分として形成される。
【００２４】
本発明に関するさらなる利点は、少なくとも１つの停止部のおよびコンタクトブリッジの、既に記載した形態を通して現れる。たとえば、脚部の開口が少なくとも１つの装着スロットをそれぞれ有する場合、装着を容易にすることができる。装着のために、少なくとも１つの停止部を、少なくとも１つの停止部の長い側が接触の方向の長手方向と平行に延びる状態で、コンタクトブリッジの脚部間で案内することができる。停止部の短い側は脚部の内側間隔よりも短いので、停止部は２つの脚部の間に嵌合する。少なくとも１つの停止部が、作動方向において見たときに、脚部の装着スロットと同じ高さに配設される場合、停止部を、互いに対向する２つの装着スロットを通して案内することができる。このことは、作動部材を、作動方向と平行に延びる軸を中心に回転させることによって行われ得る。この場合、停止部の長い側の２つの端部は各々、装着スロット内へと貫通する。この場合、停止部は、作動方向において見たときに、座部の上方に配置されこれらと位置合わせされるまで、移動することができる。
【００２５】
停止部とコンタクトブリッジとの間のばね力により、停止部の２つの端部は、２つの脚部の２つの開口を通して、２つの座部内へと押される。停止部は次いで、１つの座部内に両方の脚部の各々がある状態で、静止する。そのような停止部はしたがって、２つの停止表面を有する。別法として、フランジ形状の部分を、２つの停止部と見なすこともできる。しかしながら以下では、２つの停止表面を有する１つの停止部について検討する。停止部はその長手方向において、脚部の領域におけるコンタクトブリッジの大きさと少なくとも同じ大きさであるので、この停止部は、両方の脚部において、作動方向を横断する方向に延びる壁部分に接触する。このことは、作動方向において形状嵌合が存在し得ることを示す。コンタクトブリッジ構成が接触のために使用される場合、すなわち、コンタクトブリッジが作動部材によって相手側コンタクトに押し付けられる場合、停止具は、コンタクトブリッジが相手側コンタクトに接触して作動部材が作動方向にさらに移動されるとすぐに、その座部または２つの座部から外へと、作動方向に偏向される。
【００２６】
この場合、少なくとも１つのばね要素のばね力は、コンタクトブリッジおよび停止部に対して、停止部がその少なくとも１つの座部内へと戻ろうとするように作用し得る。作動方向に沿って少なくとも座部から外に偏向すると、停止部は、開口の案内表面によって好ましくは案内される。動作中、停止部は、その座部から大きく離れるべきではない、すなわち、作動方向において少なくとも１つの装着スロットと同じ高さに配設される程度まで、開口を通して作動方向に案内されるべきではない。この可能であるが必須ではない制限を、開口の、停止部の、作動部材の作動経路の、好適な寸法を特定することによって、および／または好適な作動装置システムによって、および特に電気的切り替え要素におけるコンタクトブリッジと相手側コンタクト要素との間の間隔によって、設定することができる。
【００２７】
本発明によるコンタクトブリッジ構成の全体サイズを低減するために、少なくとも１つのばね要素を、板ばねとすることができる。板ばねは特に、ばね基部から作動方向を実質的に横断する方向に延在することができ、長手方向に互いに対向するその端部の領域において、コンタクトブリッジに接触し得る。
【００２８】
板ばねの事前応力付与を実現するため、板ばねを、たとえば、コンタクトブリッジの方向に湾曲させるおよび／またはスワンネック状とすることができる。別法として、コンタクトブリッジは、板ばねの端部が接触する領域において、いずれの場合も、板ばねの端部をブリッジ本体から離間させることのできる少なくとも１つのスペーサを有し得る。板ばねを湾曲させるおよび／またはスワンネック状とすること、ならびにコンタクトブリッジにスペーサが追加的に存在することも可能である。長い側の各端部において、コンタクトブリッジは好ましくは、長手方向を横断する方向に互いに対向して配設され、かつ作動方向と反対方向にブリッジ本体から離れるように延在する、２つのスペーサを有する。このようにして、１つのＵ字形状の断面が、端部の領域内に各々形成される。板ばねを、その端部がＴ字形状となるように形成することができ、この結果、板ばねは、コンタクトブリッジの各端部における両方のスペーサ上に静止し得る。
【００２９】
以下では、図面を参照し、有利な実施形態を使用して、本発明を例示によりさらに詳細に説明する。実施形態において例として描写する特徴の組み合わせを、上記の解説に従い、特定の用途に関して追加の特徴によって相応に補足することができる。同様に上記の解説に従い、個々の特徴の効果が具体的な用途において重要でない場合、記載した実施形態において、その特徴を省略することが可能である。
【００３０】
図面においては、同じ機能および／または同じ設計を有する要素に対して、常に同じ参照符号を使用する。
【図面の簡単な説明】
【００３１】
【図１】コンタクトブリッジの長手方向および作動方向と平行な、本発明によるコンタクトブリッジ構成を通る中央断面図である。
【図２】作動方向と平行でありかつコンタクトブリッジの長手方向と直交する、図１からのコンタクトブリッジ構成を通る中央断面図である。
【図３】図１からのコンタクトブリッジ構成上への、作動方向と反対方向における平面図である。
【図４】分解図としてばね要素および作動部材を追加的に示す、本発明によるコンタクトブリッジ構成の概略斜視図である。
【発明を実施するための形態】
【００３２】
以下では、本発明によるコンタクトブリッジ構成について、有利な実施形態が様々な視点で描かれる図１から図３を参照して記載する。ここで、図３の平面図では、コンタクトブリッジ構成の内部中のいくつかの要素は、これらをより見易くするために点線で描写されている。
【００３３】
本発明によるコンタクトブリッジ構成１は、コンタクトブリッジ３と、作動部材５と、少なくとも１つのばね要素７と、少なくとも１つの停止部９とを有する。
【００３４】
コンタクトブリッジ３は、長手方向Ｌに実質的に沿って延在し、作動方向Ｂに沿って移動可能な様式で作動部材５に保持される。この場合、コンタクトブリッジ３は、少なくとも１つのばね要素７によって、作動方向Ｂにおいて停止部９に押し付けられる。
【００３５】
コンタクトブリッジ３は、長手方向Ｌに沿って延在するコンタクトブリッジ本体１１を有し得る。作動方向Ｂにおいて自由である少なくとも２つのコンタクト表面１３が、コンタクトブリッジ３上に好ましくは配置される。コンタクト表面１３は好ましくは、長手方向Ｌと平行にかつ作動方向Ｂと直交して延在する。コンタクト表面１３を、コンタクトブリッジ３またはコンタクトブリッジ本体１１の、上側側面１５上に配置することができる。コンタクト表面１３を、コンタクトブリッジ上の接触する領域として、またはコンタクトブリッジ３に接続されたコンタクト要素１７として形成することができる。コンタクト表面１３は、長手方向Ｌにおいて見たときに、作動部材５をまたいで互いに対向して配設される。
【００３６】
コンタクトブリッジ３は好ましくは、コンタクトブリッジ本体１１および上側側面１５を通って作動方向Ｂに延在する、作動部材５のための案内開口１９を有する。案内開口１９は、好ましくは長手方向Ｌにおいて見たときにコンタクトブリッジ３の中央に、かつ同様に好ましくは、長手方向Ｌおよび作動方向Ｂを横断する方向に延びる幅方向Ｑにおいて、配置される。
【００３７】
コンタクトブリッジ３は、コンタクトブリッジ本体１１から作動方向Ｂと反対方向に延在する、２つの脚部２１を有する。２つの脚部２１は、幅方向Ｑにおいて互いと対向しており、これらの間に作動部材５が配置される。脚部２１は好ましくは、コンタクトブリッジ３と一体に形成される。たとえば、脚部２１を、作動方向Ｂと反対方向にコンタクトブリッジ材料２３を変形させることによって形成することができる。脚部２１は、コンタクトブリッジ３の、少なくとも部分的に長手方向Ｌと平行におよび作動方向Ｂと平行に延在する、側方表面２５を形成し得る。この場合、脚部２１は好ましくは、作動方向においてコンタクトブリッジ３の上側側面１５を越えて突出しない。
【００３８】
脚部２１は、長手方向において、コンタクトブリッジ３の全長２７にわたって延在し得る。このことは必須ではないが、この様式では変形によってコンタクトブリッジ３を短時間で製造できるので、有利である。この場合、長手方向Ｌにおいて互いに対向する端部２９において、材料を除去する必要はない。さらに、この設計は、作動方向における曲げと比較して、コンタクトブリッジの安定性が増すことを保証し得る。脚部２１は好ましくは、長手方向Ｌにおいて見たときに、これらが少なくとも部分的にコンタクト表面１３と同じ高さにあるような程度まで、長手方向Ｌに延在する。このようにして、コンタクトブリッジ３により、コンタクト表面１３上への、少なくとも１つのばね要素７によって生成されるばね力の良好な力の伝達が、実現される。
【００３９】
長手方向Ｌにおいて互いに対向して配設される、コンタクトブリッジ３の端部３３の領域において、コンタクトブリッジ３は好ましくは、作動方向Ｂと反対方向においてコンタクトブリッジ本体１１から離れるように延在する、スペーサ３１を有する。スペーサ３１は好ましくは、脚部２１と一体に形成される。同様に、スペーサ３１は好ましくは、長手方向Ｌにおいて脚部２１の端部２９と一致するか、またはこれを形成する。スペーサ３１を使用して、少なくとも１つのばね要素７をコンタクトブリッジ３に接触させることができ、この結果、ばね要素７は、作動方向Ｂにおいてコンタクトブリッジ３に対するばね力を生成し得る。スペーサによって、ばね要素７に事前に応力を付与することができる。コンタクトブリッジ３は好ましくは、両脚部２１の両端部２９においてそれぞれスペーサ３１を有し、これは、合計で４つのスペーサ３１が設けられることを意味する。
【００４０】
２つの脚部２１は好ましくは、開口３５を有する。開口３５は好ましくは、脚部２１を通って幅方向Ｑに延在する。開口３５を特に、長手方向Ｌにおいて見たときに、脚部の中央に配置することができる。開口３５は、停止部９を受容する役割を果たし得る。停止部９と開口３５との間の相互作用について、停止部９を参照して以下でさらに記載する。以下では、開口３５の構成について、より詳細に検討する。開口３５は、脚部２１を通って、作動方向Ｂと平行に延びる壁部分３７まで、作動方向と平行に延在し得る。壁部分３７は、開口３５の、作動方向Ｂと反対方向に配設される端部とすることができる。壁部分３７は、脚部２１のウエブ３９の一部とすることができ、このウエブは、作動方向Ｂと反対方向において開口３５を限定する。ウエブ３９は、長手方向Ｌと実質的に平行に延びる。
【００４１】
壁部分３７から、開口３５は作動方向Ｂに延在することができ、この開口は、長手方向Ｌにおいて見たときに、互いに対向して配設される、２つの側壁部分４１を側面とする。壁部分３７は、特に側壁部分４１と併せて、停止部９のための座部４３を表す。側壁部分４１は、停止部９のための、作動方向Ｂに沿う案内部を表し得る。
【００４２】
示される実施形態の脚部２１の各々は、２つの装着スロット４５を有する。装着スロット４５は、作動方向Ｂを実質的に横断する方向に、または長手方向Ｌに延び、座部４３から離れるように延在する。この場合、示される実施形態の２つの装着スロット４５は、長手方向Ｌにおいて、対向する両方向へと座部４３から離れるように延在する。装着スロット４５は、コンタクトブリッジ本体１１の下面４７まで、作動方向Ｂに延在し得る。装着スロット４５は、必ずしも長手方向Ｌと平行に延びる必要はない。これらは、座部４３に向かって斜めに延びることもできる。
【００４３】
装着スロット４５は、開口３５とともに、脚部２１に共通の凹部４９を形成し得る。共通の凹部４９はＴ字形状を有することができ、Ｔの垂直な足は作動方向Ｂと平行に延びかつ開口３５によって形成され、Ｔの水平な足は装着スロット４５によって形成される。原則的には、脚部２１の各々が、脚部の端部２９に向かって開口３５から離れる方向に延在する、ただ１つの装着スロット４５を有することも可能である。この場合、２つの脚部２１を、２つの装着スロット４５が長手方向Ｌにおいて対向する両方向にそれぞれ延びるように形成し得る。
【００４４】
本発明によるコンタクトブリッジ３は好ましくは、プレス加工された曲げ部品として製造される。これを行うために、最初は平坦であり得るコンタクトブリッジ材料２３をプレス加工することができ、この結果として、コンタクトブリッジ３の形状は、脚部２１、凹部４９、および案内開口１９を有して形成される。装着スロット４５、たとえば凹部４９を案内開口１９の周囲の領域に作り出すとき、コンタクトブリッジ３の、たとえばコンタクトブリッジ本体１１の材料を過剰に取り去らないようにするために、案内開口１９の周囲に、案内開口の領域におけるコンタクトブリッジ３の安定性を保証するのに十分なコンタクトブリッジ材料２３を有する、環状部分５１を形成することができる。
【００４５】
以下では、本発明による作動部材５について、図１および図３、ならびに図４の下側領域において描写される作動部材５を参照して記載する。作動部材５は、少なくとも１つのばね要素７を支持する役割を果たし得る、ばね基部５３を有する。ばね基部５３は好ましくは、作動部材５のフランジ形状の部分５５の一部として形成される。フランジ形状の部分５５を特に、作動部材５上のフランジとして形成することができる。フランジ形状の部分５５を特に、残りの作動部材５と一体に形成することができるか、またはこれに接続することができる。残りの作動部材５は好ましくは、杆形状または軸形状である。ただし、さらなる技術的に都合の良い構成も可能である。作動部材５は、作動装置システムを通してコンタクトブリッジ構成１を作動する役割を果たし得る。
【００４６】
フランジ形状の部分５５は、たとえば、ばね基部５３を有し、これをその上側側面５７により形成するだけでなく、停止部９も形成する。停止部９は、フランジ形状の部分の下面６１によって形成される、停止表面５９を有する。上側側面５７および下面６１は、作動方向Ｂと関連しており、すなわち、上側側面５７は作動方向Ｂを指し、下面６１はこの方向と反対方向を指す。停止部９は、作動方向Ｂを横断する方向に互いに対向して配設された、２つの停止表面５９を有する。フランジ形状の部分５５はしたがって、ばね基部５３および停止部９の両方を形成する構成要素である。停止部９およびばね基部５３は、フランジ形状の部分５５と一体に構成される。図３は、停止部９を、２つの異なる位置において点線で示す。
【００４７】
フランジ形状の部分５５または停止部９は、全体に細長い形状を有する。この場合これは、作動方向Ｂを横断する方向において見たときに、長さ６３および幅６５を有する。コンタクトブリッジ３内に挿入された状態では、図１から図３においておよび図４の上側領域において描写されるように、停止部の長さ６３は好ましくは、少なくとも脚部２１の領域における、コンタクトブリッジ３の外側幅６７と少なくとも同じ大きさである。外側幅６７はこの場合、幅方向Ｑと平行に測定される。停止部の幅６５は好ましくは、脚部２１の内側間隔６９よりも小さい。脚部２１の内側間隔６９は、コンタクトブリッジ３の外側幅６７と平行に測定される。
【００４８】
コンタクトブリッジ構成１は、板ばね７１によって好ましくは形成される、ばね要素７を有する。別法として、ばね要素７は、らせんばねまたは他の好適なばね要素から成ることもできる。いくつかの板ばね、または少なくとも１つの板ばねと少なくとも１つのらせんばねとの組み合わせが存在する、組み合わせた配置構成も可能である。ただし、簡潔さのために、個々の板ばね７１の使用について、以下に記載する。
【００４９】
板ばね７１は、全体に細長くかつコンタクトブリッジ３内に配置された状態においてコンタクトブリッジの長手方向Ｌと平行に延びる形状を有する。板ばね７１は、中央領域に、作動部材５のための挿入開口７３を有する。作動部材５を、板ばね７１の挿入開口７３に挿通することができ、この結果、板ばね７１が、作動部材Ｂ上で、作動方向Ｂを横断する方向においてしっかりと保持される。挿入された状態では、板ばね７１は、ばね基部５３に接触する。したがって作動部材５は、ばね基部５３を介して作動方向Ｂにおいて板ばね７１上に圧力を及ぼすことができ、または逆の関係も成り立つ。
【００５０】
挿入されていない状態では、図４の下側領域において示されるように、板ばね７１は好ましくは、作動方向Ｂを横断する方向に延びる平面内に延びる。結果として、板ばね７１は、ばね鋼から特に容易に切り出すかまたは打ち抜くことができる。
【００５１】
長手方向Ｌにおいて互いに対向して配設されたその端部７５において、板ばねは好ましくは、コンタクトブリッジ３の外側幅６７と少なくとも同じ大きさである端部幅７７を有する。結果として、コンタクトブリッジ３のスペーサ３１は、板ばね７１の端部７５に接触し得る。幅７７は、板ばね７１がその端部７５に断面拡大部７９を有することによって実現可能であり、ここにおいては、板ばね７１は、端部７５間に配設されたその他の板ばね７１と比較して拡大されている。長手方向において見たときに、板ばね７１は、２つの端部７５の間に、端部幅７７よりも小さい中央領域幅８１を有する。中央領域幅８１は好ましくは、脚部２１の内側間隔６９よりも小さい。結果として、板ばね７１を、少なくとも中央領域幅８１を上回らない領域によって、脚部２１間で作動方向Ｂに移動可能な様式で案内することができる。
【００５２】
以下では、本発明によるコンタクトブリッジ構成１について、組み立てられた状態で記載する。図１では、実線および薄いハッチングで描写される停止部９、ならびに実線で描写される板ばね７１は、組み立てられた状態を示す。図４では、板ばね７１が隠れてしまうため、板ばね７１を点線で示す。
【００５３】
コンタクトブリッジ３は、作動方向Ｂに沿って移動可能な様式で、作動部材５に保持される。この場合、コンタクトブリッジ３は、少なくとも案内開口１９を通って突出する作動部材５によって案内される。停止部９が、開口３５内で両方の脚部２１の側壁部分４１によって案内される結果、作動方向Ｂに沿ったさらなる案内がもたらされ得る。
【００５４】
板ばね７１として構成されたばね要素７は、ばね基部５３上で支持され、コンタクトブリッジ３を作動方向Ｂに押す。板ばね７１は、ばね基部５３に接触し、スペーサ３１に接触するその端部７５によって、コンタクトブリッジを押圧する。停止部９およびばね基部５３はいずれも、コンタクトブリッジ３と反対の方向を向いたばね要素７の側面８３上に配設される。
【００５５】
停止部９は、両方の開口３５を貫通し、板ばね７１によって２つの壁部分３７に接触する。非接触状態では、図１から図４に示されるように、停止部９は、壁部分３７に接触する。２つの開口３５は、壁部分３７および側壁部分４１から、停止部９のための２つの座部４３を形成する。座部４３内で、停止部９は、作動方向と反対方向において、かつ作動方向を横断する方向においてまたは長手方向Ｌにおいて、形状嵌合の様式で保持される。停止部９を、ただ１つの作動方向において各座部４３から外に移動させることができ、このとき板ばね７１のばね力を克服する必要がある。本発明によるコンタクトブリッジ構成１を使用するとき、停止部９が作動方向Ｂにおいて側壁部分４１を越えて移動しないことが好ましくは保証され、このことにより、停止部９は、装着スロット３５内で動作状態に入る。停止部９は好ましくは、これが側壁部分４１によって案内される領域内においてのみ移動する。
【００５６】
コンタクトブリッジ３は、その脚部２１によって、ばね要素７または板ばね７１を包囲する。この場合、コンタクトブリッジ３は、板ばね７１が受容される空間Ｖを少なくとも部分的に包囲する。このようにして、コンタクトブリッジ構成１のための構築空間を節減することが可能である。
【００５７】
長手方向Ｌにおいて見たときに、コンタクトブリッジ３は、実質的にＵ字形状の断面を有する。Ｕの基部としてのコンタクトブリッジ本体１１およびこれから離れる方向に延在する２つの脚部２１によって実質的に形成されるＵ字形状の断面によって、コンタクトブリッジ３は、作動方向Ｂにおける曲げに対して高度の安定性を有し得る。
【００５８】
以下では、本発明によるコンタクトブリッジ構成をどのように組み立てることができるかを手短に説明する。この場合、コンタクトブリッジ３が予めその最終形態を有し、フランジ形状の部分５５が予め作動部材５上に存在することが前提となる。最初に、板ばね７１は、その挿入開口７３によって作動部材５上に据えられて、ばね基部５３に接触するに至る。次いで、作動部材５が、板ばね７１とともに、作動方向Ｂにおいてコンタクトブリッジ３内へと挿入される。この場合、フランジ形状の部分５５または停止部９は、その長手方向が、コンタクトブリッジ３の長手方向Ｌと平行に延びるように配向される。この場合、停止部９は、２つの脚部２１の間に嵌合する。板ばね７１は、その端部７５においてコンタクトブリッジ３の外側幅６７よりも大きい端部幅７７を有するので、板ばね７１の端部７５は、作動方向Ｂにおいて見たときに、スペーサ３１の高さに達するとすぐにスペーサ３１に接触して既に静止している。さらに挿入されると、板ばね７１を湾曲することができ、このとき挿入開口７３の周囲の板ばね７１の領域が、端部７５よりもコンタクトブリッジ本体１１の近くに配設され、端部７５は、スペーサ３１によって板ばね７１の中央領域から押し離される。したがって、挿入中は、板ばね７１のばね張力を克服せねばならない。
【００５９】
挿入中、作動部材５の上側端部８５は、コンタクトブリッジ３の案内開口１９内へと挿入される。作動部材５は、作動方向Ｂにおいて、停止部９が装着スロット４５と同じ高さに配置されるまで遠くに移動される。このことを図１において、粗いハッチングを用いた作動部材５および停止部９、ならびに点線を用いた板ばね７１によって描写する。この場合、板ばね７１は、これがコンタクトブリッジ本体１１の下面４７に押し付けられるまで、湾曲することができる。大きく湾曲することにより、板ばね７１が作動方向Ｂにおいて停止部９から離れるように持ち上げられるので、停止部９は、板ばね７１が湾曲することによって、コンタクトブリッジ本体１１の下面４７から離間される。このことを、装着スロット４５の寸法を特定するときに考慮に入れることができる。このことは、装着スロット４５が、板ばね７１が湾曲することによって停止部９がコンタクトブリッジ本体１１の下面４７から離間される場合であっても、装着スロット４５が停止部９を装着スロット４５と同じ高さまでもってくることを可能にする、装着スロット高さ８７を有し得ることを意味する。
【００６０】
停止部９またはフランジ形状の部分５５が装着スロット４５と同じ高さにあるとき、作動部材５を、軸Ａを中心に回転させることができる。この軸Ａは、作動方向Ｂと平行に、作動部材５の長手軸を通って中央に、案内開口１９を通って延びる。この場合、停止部９は、両方の脚部２１の装着スロット４５を通って移動し、開口３５へと案内され得る。停止部９は、コンタクトブリッジ３の長手方向Ｌを横断する方向に配向されるとすぐに、座部４３を覆って配置される。次いで、停止部９を、板ばね７１のばね力によって、２つの座部４３内へと押すことができる。停止部９が両方の座部４３内に配置される場合、停止部９は、その停止表面５９の両方によって、両方の壁部分３７に接触する。作動部材５とコンタクトブリッジ３との間のバヨネット接続部は、装着スロット４５、座部４３、および停止部９によって形成される。
【００６１】
以下に、代替の構成および図面には描写されていない装着方法の、簡潔な説明を与える。代替の実施形態では、コンタクトブリッジ３を、装着スロット４５なしで形成することができる。代わりに、各脚部２１は、停止部９のための１つの座部４３を有する、ただ１つの開口３５を有する。装着前には、コンタクトブリッジ３は、Ｕ字形状の断面が形成されるようにではなく、２つの脚部２１が、Ｕ字形状の断面の場合よりも互いからより一層離間されるように形成される。次いで、作動部材５およびばね要素７を、所望の位置へともってくる。次いで、コンタクトブリッジ３の脚部２１が湾曲され、コンタクトブリッジ３の最終形態を作り出すに至る。この最終形態は特に、Ｕ字形状の断面を保つ。コンタクトブリッジ３を変形させるかまたは脚部２１を作動方向Ｂと反対方向に曲げると、停止部９は、コンタクトブリッジ３の両側で開口３５内へと貫通することができ、この結果、停止部９は、その各脚部における座部４３内に配置される。この実施形態では、作動方向において見たときに、停止部９またはフランジ形状の部分５５を、円形になるように、すなわち円形の停止部として、形成することもできる。これは同様に、正方形形状、または他の好適な形状を有し得る。
【符号の説明】
【００６２】
１  コンタクトブリッジ構成
３  コンタクトブリッジ
５  作動部材
７  ばね要素
９  停止部
１１  コンタクトブリッジ本体
１３  コンタクト表面
１５  上側表面
１７  コンタクト要素
１９  案内開口
２１  脚部
２３  コンタクトブリッジ材料
２５  側方表面
２７  コンタクトブリッジの長さ
２９  長手方向における脚部の端部
３１  スペーサ
３３  長手方向におけるコンタクトブリッジの端部
３５  開口
３７  壁部分
３９  ウエブ
４１  側壁部分
４３  座部
４５  装着スロット
４７  コンタクトブリッジ本体の下面
４９  凹部
５１  環状部分
５３  ばね基部
５５  フランジ形状の部分
５７  フランジ形状の部分の上側側面
５９  停止表面
６１  フランジ形状の部分の下面
６３  停止部の長さ
６５  停止部の幅
６７  コンタクトブリッジの外側幅
６９  脚部の内側間隔
７１  板ばね
７３  挿入開口
７５  板ばねの端部
７７  板ばねの端部幅
７９  断面拡大部
８１  中央領域幅
８３  コンタクトブリッジと反対の方向を向いたばね要素の側面
８５  作動部材の上側端部
８７  装着スロット高さ
Ｂ  作動方向
Ｌ  長手方向
Ｑ  幅方向
Ｖ  空間
【図１】
2017022101.tif 000003
【図２】
2017022101.tif 000004
【図３】
2017022101.tif 000005
【図４】
2017022101.tif 000006
【外国語明細書】
2017022101000001.pdf